(57)【特許請求の範囲】
【請求項１】
扉の下端部に取付けられる錠前３であり、この錠前３は錠ケース７と、この錠ケース７に内装され、かつ、錠ケース７に設けられた操作部材１３の操作により回動するダルマ１５と、このダルマ１５の駆動により上下動するように錠ケース７に内装されたデッドボルト５とから成り、前記デッドボルト５は、垂直案内長孔５６を有する上位デッドボルト５０と、この上位デッドボルト５０に前記垂直案内長孔５６並びに錠ケース７の垂直ガイド部１４に案内される支持ピン５２を介して懸装された下位デッドボルト５１とから成り、デッドボルト５は錠ケース７内では収縮し、一方、ダルマ１５を施錠方向へ回転操作すると、下部ストライク４の係合凹所６へと伸張することを特徴とする引戸の錠前。
【請求項２】
請求項１に於いて、錠ケース７内にはバネ部材５３及び係止片５４が設けられ、上位デッドボルト５０は、解錠状態に於ける初期位置に於いて、前記バネ部材５３のバネ力により係止片５４に係止されることを特徴とする引戸の錠前。
【請求項３】
請求項１に於いて、垂直案内長孔５６の下端部には水平案内短孔５７が連通していることを特徴とする引戸の錠前。
【請求項４】
請求項１に於いて、上位デッドボルト５０に懸装された下位デッドボルト５１は、所要間隔６３を有して互いに対向する２枚のデッドプレート５１ａ、５１ｂと、これらのデッドプレート５１ａ、５１ｂの下部を一体的に連結する連結部５１ｃとから成り、前記デッドプレート５１ａ、５１ｂの上端部には、切欠部６６を介して係合アーム６７が形成され、該係合アーム６７はダルマ１５と係合することを特徴とする引戸の錠前。
【請求項５】
請求項４に於いて、ダルマ１５は、嵌合軸孔１６を有する環状部１７と、この環状部の外周壁１７ａから外方向にそれぞれ突出する第１駆動アーム１８及び第２駆動アーム２０を有し、前記第１駆動アーム１８は、上位デッドボルト５０の先端部と摺接し、一方、前記第２駆動アーム２０は、下位デッドボルト５１の係合アーム６７の先端部と係合することを特徴とする引戸の錠前。
【請求項６】
請求項５に於いて、第１駆動アーム１８と第２駆動アーム２０との間には、上位デッドボルト５０を錠ケース７に内装したバネ部材５３のバネ力に抗して水平方向へ移動させ、かつ、支持ピン５２を垂直案内長孔５６の下端部と連通する水平案内短孔５７へと入れる駆動突起２２が形成されていることを特徴とする引戸の錠前。
【請求項７】
請求項１に於いて、錠前３は引戸の下端部に内装され、一方、下部ストライク４の係合凹所６は、床面に形成された凹所であることを特徴とする引戸の錠前。
【請求項８】
扉の下端部に取付けられる錠前３であり、この錠前３は錠ケース７と、この錠ケース７に内装され、かつ、錠ケース７に設けられた操作部材１３の操作により回動するダルマ１５と、このダルマ１５の駆動により上下動するように錠ケース７に内装されたデッドボルト５とから成り、前記デッドボルト５は、垂直案内長孔５６を有する上位デッドボルト５０と、この上位デッドボルト５０に前記垂直案内長孔５６並びに錠ケース７の垂直ガイド部１４に案内される支持ピン５２を介して懸装された下位デッドボルト５１とから成り、デッドボルト５は錠ケース７内では収縮し、一方、ダルマ１５を施錠方向へ操作すると、下部ストライク４の係合凹所６へと伸張し、また前記下位デッドボルト５１には垂直長孔６５が形成され、この垂直長孔６５に案内される横軸４４を介し、錠ケース７の開口１２から出没する嵌合支持部材４０が下位デッドボルト５１に懸装されていることを特徴とする引戸の錠前。
【請求項９】
請求項８に於いて、嵌合支持部材４０はデッドボルト５に追動して出没することができるように錠ケース７に設けられていることを特徴とする引戸の錠前。
【請求項１０】
請求項８に於いて、嵌合支持部材４０は、デッドボルト５を取り囲む矩形状の周胴部４１と、周胴部４１の側壁部の上端部から突出し、かつ、周胴部４１が錠ケース７の開口１２から下部ストライク４へと所定量突出した際に、錠ケース７の内壁面に係止されるストッパー部４２とを有することを特徴とする引戸の錠前。
【発明の詳細な説明】
【０００１】
【発明の属する技術分野】
本発明は建物の引戸の錠前に関する。本発明は、引戸の一例である強化ガラス扉の下端部に框を介して取付けられる錠前に適する。
【０００２】
【従来の技術】
一般に狭框扉（例えば引戸としての強化ガラス扉）の下端部に取付けられた錠前のデッドボルトは、戸枠、床面等の下面に埋設された下部ストライクと係脱する。この場合仮に下部ストライクの係合凹所の深さが浅くなると、錠ケースの下部開口から突出するデッドボルトのストロークも小さくせざるを得ない。
【０００３】
ところで、狭框扉に錠前を取付ける場合、端面Ｈ型枠状の下部框の内部に錠前を内装し、錠前の錠ケースの底壁部は狭框扉の下端面から突出しないのが普通である。そこで、「チリ（下部框と下部ストライクとの間隙）」が大きい場合に於いて、引戸を上方に持ち上げると、仮にデッドボルトのストロークを多少調整することが可能であるとしても、デッドボルトの構造上ストロークに限界があり、デッドボルトが下部ストライクの係合凹所から外れると言う問題点がある。そして、この問題点は下部ストライクの係合凹所の深さが浅い反面、チリ寸法が大きい場合に顕著である。
【０００４】
【発明が解決しようとする課題】
本発明は以上のような従来の問題点に鑑み、第１の目的はチリ寸法が大きい場合、ストライクの係合凹所の深さが浅い場合など理由如何を問わず、デッドボルトが下部ストライクの係合凹所に確実に係合すると同時に、引戸を上方に持ち上げてもデッドボルトが容易に下部ストライクから外れないことである。第２の目的はデッドボルトが錠ケースの開口から下部ストライクへと伸張した際に「ガタガタ」揺れないようにすることである。第３の目的は狭框扉の下部框の形態を考慮し、錠ケースを小型化にしたままで第１の目的を達成することができることである。そのため具体的には、操作部材の回動操作に基づき、デッドボルトは解錠時には錠ケース内にコンパクトな状態で収縮することである。
【０００５】
【課題を解決するための手段】
本発明の引戸の錠前は、扉の下端部に取付けられる錠前３であり、この錠前３は錠ケース７と、この錠ケース７に内装され、かつ、錠ケース７に設けられた操作部材１３の操作により回動するダルマ１５と、このダルマ１５の駆動により上下動するように錠ケース７に内装されたデッドボルト５とから成り、前記デッドボルト５は、垂直案内長孔５６を有する上位デッドボルト５０と、この上位デッドボルト５０に前記垂直案内長孔５６並びに錠ケース７の垂直ガイド部１４に案内される支持ピン５２を介して懸装された下位デッドボルト５１とから成り、デッドボルト５は錠ケース７内では収縮し、一方、ダルマ１５を施錠方向へ回転操作すると、下部ストライク４の係合凹所６へと伸張することを特徴とする。
【０００６】
また本発明の引戸の錠前は、扉の下端部に取付けられる錠前３であり、この錠前３は錠ケース７と、この錠ケース７に内装され、かつ、錠ケース７に設けられた操作部材１３の操作により回動するダルマ１５と、このダルマ１５の駆動により上下動するように錠ケース７に内装されたデッドボルト５とから成り、前記デッドボルト５は、垂直案内長孔５６を有する上位デッドボルト５０と、この上位デッドボルト５０に前記垂直案内長孔５６並びに錠ケース７の垂直ガイド部１４に案内される支持ピン５２を介して懸装された下位デッドボルト５１とから成り、デッドボルト５は錠ケース７内では収縮し、一方、ダルマ１５を施錠方向へ操作すると、下部ストライク４の係合凹所６へと伸張し、また前記下位デッドボルト５１には垂直長孔６５が形成され、この垂直長孔６５に案内される横軸４４を介し、錠ケース７の開口１２から出没する嵌合支持部材４０が下位デッドボルト５１に懸装されていることを特徴とする。
【０００７】
【発明の実施の形態】
以下、図面に示す本発明の実施の形態を説明する。まず図１は引戸（例えば強化ガラス扉）１の下部に金属製の端面Ｈ型長枠状框２を介して取付けられた錠前３と、戸枠、床面等の下面に埋設された下部ストライク４との関係を示す。この種の錠前３は、一般に下部框２の適宜箇所に固定的に内装されている。そして、「チリ」が大きい場合に於いて、引戸１を上方に持ち上げると、錠前３のデッドボルト５が下部ストライク４の係合凹所６から外れる場合がある。そこで、本発明は引戸１を持ち上げた際に、デッドボルト５が下部ストライク４から外れないように特にデッドボルト５のストロークを考慮した構成に成っている。
【０００８】
次に図２は框２に内装される錠前３の斜視図である。また図３は錠前３の内部構造を示す縦断面図である。図３は後述するダルマ１５及びデッドボルト５が解錠状態に於ける初期位置にある。
【０００９】
まず錠ケース７について説明する。錠ケース７は全体として長箱状に形成されている。図３を基準にすると、８は取付け板、また９は断面逆ハット形状のケース本体で、取付け板８並びにケース本体９は取付け孔を貫通する固着具１０を介し、框２の内壁面２ａに固定されている。ケース本体９の左右の側壁部９ａ、９ｂに対する底壁部９ｃの外壁面には、多少の厚みを付与するために補強板１１が固定的に設けられている。１２はケース本体９の底壁部９ｃ並びに補強板１１の中央部よりの部位に形成されたデッドボルト用開口である。なお、望ましくは錠ケース７の補強板１１の外壁面と框２の下端面２ｂは略同一ライン上に位置させるべきである。
【００１０】
次に図２で示すように錠ケース７の前壁部９ｄの外壁面には、操作部材１３の一例としてのサムターンが回動可能に設けられている。錠ケース７の外側に位置する操作部材１３と錠ケース７に内装される駆動体は一体的に構成されている。すなわち、操作部材１３を回転すると、駆動体としてのダルマは共に同方向に回転する。また錠ケース７の前壁部９ｄ及び後壁部９ｅには、互いに対向する垂直ガイド部（垂直長孔、垂直長溝）１４が形成されている。この垂直ガイド部１４は後述するデッドボルトの支持ピン５２を案内する。
【００１１】
次に図４乃至図７は錠ケース７に内装されるダルマ１５と、ダルマ１５によって上下動するデッドボルト５と、デッドボルト５を支持する上下開口の嵌合支
持部材４０を示す。
【００１２】
まず図４及び図５を参照にダルマ１５について説明する。１６は操作部材１３の図示しない突起状の嵌合軸が嵌合する嵌合軸孔で、この嵌合軸孔１６は環状部１７の中心部に形成されている。環状部１７は、図４で示すように嵌合軸孔１６の軸芯方向に幅広に形成され、全体として短筒状である。
【００１３】
１８は環状部１７の外周壁１７ａから外方向に突出する幅広の第１駆動アームである。この第１駆動アーム１８の先端面の中央部には、小突起１９が環状部１７の周方向に形成されている。２０は同じく環状部１７の外周壁１７ａから外方向に突出する２本の第２駆動アームである。これらの第２駆動アーム２０は、本実施例では第１駆動アーム１８に対して略９０度の角度が設定されている。すなわち、第２駆動アーム２０は第１駆動アーム１８に対して直角方向に延び、両駆動アーム１８、２０の長さは略同一である。第２駆動アームの（嵌合軸方向の）幅は第１駆動アーム１８のそれよりも１／３（３分の１）程度であり、また丁度１／３程度の間隔２１を有して前後に対設している。２２は同じく環状部１７の外周壁１７ａの中央部から外方向に突出する駆動突起で、この駆動突起２２は第１駆動アーム１８と第２駆動アームとの間に位置し、かつ、環状部１７の外周壁１７ａと交差する交差面２２ａは前記間隔２１に向いている。駆動突起２２の突出量は、駆動アーム１８の１／２（２分の１）程度であり、図５で示すように第１駆動アーム１８の右側面の中央部に連設し、やや弧状の外周面２２ｂを有している。そして、その前面又は後面は台形状である。
【００１４】
次に図６及び図７を参照に示す上下開口の嵌合支持部材４０、デッドボルト５について説明する。
【００１５】
まず嵌合支持部材４０は上下開口のケース体であり、デッドボルト５はこの嵌合支持部材４０に貫入している。また嵌合支持部材４０は錠ケース７の開口１２からデッドボルト５に追動して出没することができるように錠ケース７内に設けられている。
【００１６】
しかして、４１はデッドボルト５を取り囲む矩形状の周胴部である。４２は周胴部４１の左右の側壁部４１ａ、４１ｂの上端部からそれぞれ突出し、かつ、周胴部４１が錠ケース７の開口１２から下部ストライク４の係合凹所６へと所定量突出した際に、錠ケース７の底壁部９ｃの内壁面に係止されるストッパー部である。図６を基準にすると、左側のストッパー部４２の中央部及び左側壁部４１ａの上端中央部には、ダルマ１５の第１駆動アーム１８の小突起１９の通過を許容する逃がし用切欠部４３が形成されている。また周胴部４１の前後の側壁部４１ｃ、４１ｄには横軸４４が固定的に横架されている。なお、横軸４４の両端部は周胴部４１からは突出しない。
【００１７】
次にデッドボルト５は、図２で示すように支持ピン５２を介して錠ケース７に案内される。またデッドボルト５は図６で示すように全体としては３枚の板が縦方向に重なり合う構造体と成っており、上位デッドボルト５０、下位デッドボルト５１及び嵌合支持部材４０は横軸４４或いは支持ピン５２を介してそれぞれ懸装（ぶら下がり状態に組み合わせられていること。）関係にある。
【００１８】
すなわち、図７を基準にすると、５０は全体としてコ字型状の上位デッドボルトで、この上位デッドボルト５０は下位デッドボルト５１の上端部に固定的に横架された支持ピン５２を介し、下位デッドボルト５１を懸装する。また下位デッドボルト５１は横軸４４を介し、嵌合支持部材４０を懸装する。
【００１９】
そこで、まず上位デッドボルト５０について説明する。上位デッドボルト５０は、図３で示すように解錠状態に於ける初期位置に於いては、バネ部材５３のバネ力により係止片５４に係止されている。バネ部材５３は錠ケース７内に取付けピン５５を介して設けられ、その一端部５３ａはケース本体９の右側壁部９ｂの内壁面に、一方、他端部５３ｂは上位デッドボルト５０の垂直部５０ａの外壁面にそれぞれ当接する。また係止片５４はＬ字型状であり、取付け板８の中央部に固定されている。
【００２０】
しかして、図７で示すように５６は垂直部５０ａに形成された垂直案内長孔で、この垂直案内長孔５６の下端部には水平案内短孔５７が連通している。５０ｂは垂直部５０ａに連設する上方水平係合部で、この上方水平係合部５０ｂの先端部には、前記係止片５４が入り込む係合溝５８が形成されている。そして、上方水平係合部５０ｂの先端部の下面には、ダルマ１５の第１駆動アーム１８の小突起１９が摺接するテーパー面５９が形成されている。
【００２１】
５０ｃは上方水平係合部５０ｂと対向する下方水平係合部で、この下方水平係合部５０ｃの先端部は、図９で示すようにダルマ１５の駆動突起２２が摺接する垂直端面６０と、図１２で示すようにダルマ１５の前記第１駆動アーム１８の小突起１９が摺接する傾斜面６１とを有する。なお、傾斜面６１とテーパー面５９は対向している。
【００２２】
次に下位デッドボルト５１について説明する。下位デッドボルト５１は所要間隔６３を有して互いに対向する２枚のデッドプレート５１ａ、５１ｂと、これらのデッドプレート５１ａ、５１ｂの下部を一体的に連結する連結部５１ｃとから成る。しかして、デッドプレート５１ａ、５１ｂの上端部には支持ピン５２が貫通する一対の軸孔６４が形成されており、またこれらの軸孔６４の下方には嵌合支持部材４０の横軸４４が貫通する一対の垂直長孔６５が形成されている。さらにデッドプレート５１ａ、５１ｂの上端部寄りの部位には水平方向に切欠部６６が形成され、その結果、デッドプレート５１ａ、５１ｂの上端部は、一対の係合アーム６７の機能を有し、これらの係合アーム６７はダルマ１５の第２駆動アーム２０と係合可能である。なお、係合アーム６７の先端部も第２駆動アーム２０の先端部との摺接を考慮し、テーパー状に形成されている。
【００２３】
上記構成に於いて、ダルマ１５を施錠方向へ操作すると、錠ケース７内で収縮していたデッドボルト５が下部ストライク４の係合凹所６へと伸張して行く状態を説明する。
【００２４】
図３はダルマ１５及びデッドボルト５が解錠状態に於ける初期位置にある。この場合デッドボルト５並びに嵌合支持部材４０は錠ケース７内に位置している。そして、デッドボルト５の上位デッドボルト５０は、バネ部材５３によりダルマ１５の方向に付勢され、錠ケースの係止片５４に係止されている。この時支持ピン５２は垂直案内長孔５６の上端部に位置している。またデッドボルト５の下位デッドボルト５１は、前述したように、切欠部６６を介して上端部に形成された係合アーム６７を介して、ダルマ１５の環状部１７から半径外方向へと突出する第２駆動アーム２０により持ち上げられている。したがって、上位デッドボルト５０と下位デッドボルト５１は、丁度同一の水平面に収縮状態に位置していると共に、嵌合支持部材４０の横軸４４は垂直長孔６５の下端部に位置している。
【００２５】
図８は操作部材１３を時計方向に回し始め、ダルマ１５が矢印で示すように同方向に多少回った状態を示す。ダルマ１５が回り始めると、下位デッドボルト５１は垂直案内長孔５６に案内される支持ピン５２を介し、そのまま下方に下降する。また嵌合支持部材４０は横軸４４を介して下位デッドボルト５１に懸装されているので、下位デッドボルト５１と共に下降し、周胴部４１の下端部が錠ケースの開口１２から飛び出る。この時下位デッドボルト５１を支えているダルマ１５の第２駆動アーム２０は、下位デッドボルト５１の切欠部６６内に位置している。
【００２６】
図９及び図１０はダルマ１５がさらに回転し続け、上位デッドボルト５０がダルマ１５の駆動突起２２により、バネ部材５３のバネ力に抗して矢印（右）方向に移動し、錠ケースの係止片５４から外れた状態を示す。この場合上位デッドボルト５０は、ダルマ１５の回転中に該ダルマ１５の駆動突起２２の外周面２２ｂが下方水平係合部５０ｃの垂直端面６０にそれぞれ摺接し、また支持ピン５２が水平案内短孔５７に入り込むので、矢印方向に移動する。そして、下降する嵌合支持部材４０は、そのストッパー部４２が錠ケースの底壁部９ｃと係合し、所定の位置で停止する。
【００２７】
図１１及び図１２はダルマ１５がさらに回転し、下位デッドボルト５１が下部ストライク４の係合凹所６内に下降した状態を示す。これらの図から明らかなように、支持ピン５２が水平案内短孔５７に入り込むと、上位デッドボルト５０と下位デッドボルト５１は支持ピン５２を介して一体的になり、ダルマ１５が回転し続けると、デッドボルト５は長い状態に変身したまま係合凹所６内に深く進入する。しかして、図１２に於いて、ダルマ１５の第１駆動アーム１８の小突起１９は上位デッドボルト５０の傾斜面６１に当接し、また横軸４４は下位デッドボルト５１の垂直長孔６５の上端部に位置している。
【００２８】
【実施例】
まず本発明の実施例に於いて、デッドボルト５は３枚プレートの構造体となっているが、要は上位デッドボルト５０と下位デッドボルト５１が互いにスライド（伸縮）できる構造体に成っていれば良い。また操作部材１３は、サムターンの他にキー操作に回動する一般的なシリンダー錠（内筒、外筒、ロックピンなどの組合せからなる錠体）であっても良い。
【００２９】
また嵌合支持部材４０は、本発明の第１の目的との関係に於いては発明を特定する要件ではない。すなわち、請求項１記載の発明では、下位デッドボルト５１が支持ピン５２を介して上位デッドボルト５０に伸縮可能に懸装されていれば、第１の目的を達成することができ、また下位デッドボルト５１の係合アーム６７の形状は任意に設計変更可能であるから、嵌合支持部材４０は必ずしも必要ない。嵌合支持部材４０は、望ましくは本発明の実施例のように下位デッドボルト５１の上端部に切欠部６６が形成されている場合に、本発明の第２の目的との関係に於いて発明を特定するための要件である。
【００３０】
【発明の効果】
以上の説明から明らかなように、本発明にあっては次に列挙するような効果がある。
（１）請求項１記載の発明は、チリ寸法が大きい場合、ストライクの係合凹所の深さが浅い場合など理由如何を問わず、デッドボルトが下部ストライクの係合凹所に確実に係合すると同時に、引戸を上方に持ち上げてもデッドボルトが容易に下部ストライクから外れない。
（２）請求項８記載の発明は、デッドボルトが錠ケースの開口から下部ストライクへと伸張した際に「ガタガタ」揺れない。
（３）請求項１及び請求項８記載の発明は、操作部材の回動操作に基づき、デッドボルトは解錠時には錠ケース内にコンパクトな状態で収縮し、一方、施錠時にはストライクの係合凹所の深さに対応して伸張する。したがって、狭框扉の下部框の形態に対応し、錠ケースを小型化を図ることができる。
【図面の簡単な説明】
図１乃至図１３は本発明の実施の形態を説明するための各説明図。
【図１】発明の実施の形態の一例を示す斜視図。
【図２】錠前の外観構成を示す斜視図。
【図３】錠前の内部構造を示す縦断面図（デッドボルトが解錠状態に於ける初期位置にある。）。
【図４】ダルマとデッドボルトとの関係を示す説明図。
【図５】図４の５−５線断面図。
【図６】デッドボルトと嵌合支持部材との関係を示す説明図。
【図７】図６に於ける分解斜視図。
【図８】図３に於いて、ダルマが回転し始めた所の説明図。
【図９】ダルマの駆動突起と上位デッドボルトとの関係を示す説明図。
【図１０】ダルマの回転中に於ける各部材の説明図。
【図１１】下位デッドボルトが嵌合支持部材を貫通して下降する説明図。
【図１２】デッドボルトの最終的な施錠状態の説明図。
【図１３】図１２の１３−１３線に基づく拡大縦断面説明図。
【符号の説明】
１…引戸、２…框、３…錠前、４…下部ストライク、５…デッドボルト、６…係合凹所、７…錠ケース、８…取付け板、９…ケース本体、１２…開口、１３…操作部材、１４…垂直ガイド部、１５…ダルマ、１６…嵌合軸孔、１７…環状部、１８…第１駆動アーム、２０…第２駆動アーム、２２…駆動突起、４０…嵌合支持部材、４１…周胴部、４２…ストッパー部、４４…横軸、５０…上位デッドボルト、５１…下位デッドボルト、５１ａ、５１ｂ…デッドプレート、５２…支持ピン、５３…バネ部材、５４…係止片、５６…垂直案内長孔、５７…水平案内短孔、６５…垂直長孔、６７…係合アーム。
【図１】
0003919856.tif 000002
【図２】
0003919856.tif 000003
【図３】
0003919856.tif 000004
【図４】
0003919856.tif 000005
【図５】
0003919856.tif 000006
【図６】
0003919856.tif 000007
【図７】
0003919856.tif 000008
【図８】
0003919856.tif 000009
【図９】
0003919856.tif 000010
【図１０】
0003919856.tif 000011
【図１１】
0003919856.tif 000012
【図１２】
0003919856.tif 000013
【図１３】
0003919856.tif 000014